(57)【特許請求の範囲】
【請求項１】
端末は配列ローカルゲートウェイをサポートするソースセカンダリ基地局からターゲットセカンダリ基地局に切り替えると、マスター基地局が前記ターゲットセカンダリ基地局のＸｎインターフェースメッセージを受信することと、
前記ターゲットセカンダリ基地局が送信する切り替え成功確認メッセージを受信すると、前記マスター基地局は前記ソースセカンダリ基地局をトリガーして、ローカルネットワークに選択されたＩＰトラヒックオフロードPDN接続をリリースするようにローカルゲートウェイに通知することと、を含む選択されたＩＰトラヒックオフロード接続を処理する方法。
【請求項２】
前記マスター基地局が前記ソースセカンダリ基地局をトリガーして、ローカルネットワークに選択されたＩＰトラヒックオフロードPDN接続をリリースするようにローカルゲートウェイに通知することは、
前記マスター基地局が前記ソースセカンダリ基地局に指定Ｘｎインターフェースメッセージを送信するか、又は指定情報要素若しくは追加情報要素を含むＸｎインターフェースメッセージを送信する、という方式で実現される請求項１に記載の方法。
【請求項３】
基地局であって、小型基地局システムでのマスター基地局とし、
端末が配列ローカルゲートウェイをサポートするソースセカンダリ基地局からターゲットセカンダリ基地局に切り替えると、前記ターゲットセカンダリ基地局のＸｎインターフェースメッセージを受信するように設定される受信モジュールと、
前記ターゲットセカンダリ基地局が送信する切り替え成功確認メッセージを受信すると、前記ソースセカンダリ基地局をトリガーして、選択されたＩＰトラヒックオフロード接続をリリースするようにローカルゲートウェイに通知するように設定されるトリガーモジュールと、を含む基地局。
【請求項４】
前記トリガーモジュールは、前記ソースセカンダリ基地局に指定Ｘｎインターフェースメッセージを送信するか、又は指定情報要素若しくは追加情報要素を含むＸｎインターフェースメッセージを送信するように設定される請求項３に記載の基地局。
【請求項５】
配列ローカルゲートウェイをサポートするセカンダリ基地局がマスター基地局のトリガーメッセージを受信することと、
前記セカンダリ基地局は現在ローカルネットワークにより選択されたＩＰトラヒックオフロード接続が存在することを検出すると、ＳＩＰＴＯ＠ＬＮ操作のためのローカルゲートウェイ機能をサポートする前記セカンダリ基地局はさらにローカルネットワークに選択されたＩＰトラヒックオフロードPDN接続をリリースするように前記配列ローカルゲートウェイに請求することと、を含み、
前記トリガーメッセージは、
指定Ｘｎインターフェースメッセージ、又は
指定情報要素若しくは追加情報要素を含むＸｎインターフェースメッセージを含む選択されたＩＰトラヒックオフロード接続を処理する方法。
【請求項６】
前記セカンダリ基地局がマスター基地局のトリガーメッセージを受信した後、
前記セカンダリ基地局は対応する端末の関連サービスベアラをリリースすることを更に含む請求項５に記載の方法。
【請求項７】
基地局であって、小型基地局システムでの配列ローカルゲートウェイをサポートするセカンダリ基地局とされ、
マスター基地局のトリガーメッセージを受信するように設定される受信モジュールと、  現在ローカルネットワークにより選択されたＩＰトラヒックオフロード接続が存在することを検出すると、ローカルネットワークにより選択されたＩＰトラヒックオフロード接続をリリースするようにローカルゲートウェイに通知するように設定される通知モジュールと、を含み、
前記受信モジュールは、受信されたトリガーメッセージが、指定Ｘｎインターフェースメッセージ、又は指定情報要素若しくは追加情報要素を含むＸｎインターフェースメッセージを含むように設定される基地局。
【請求項８】
前記受信モジュールがマスター基地局のトリガーメッセージを受信した後、対応する端末の関連サービスベアラをリリースするように設定されるリリースモジュールを更に含む請求項７に記載の基地局。
【発明の詳細な説明】
【技術分野】
【０００１】
本発明は通信分野に関し、特に小型基地局ネットワークの環境での選択されたＩＰトラヒックオフロード接続を処理する方法及び基地局に関する。
【背景技術】
【０００２】
図１は関連技術におけるロングタームエボリューション（Ｌｏｎｇ  Ｔｅｒｍ  Ｅｖｏｌｕｔｉｏｎ、ＬＴＥと略称する）システムの全体アーキテクチャ模式図であり、図１に示されるように、ＬＴＥアーキテクチャは、移動管理エンティティ（Ｍｏｂｉｌｉｔｙ  Ｍａｎａｇｅｍｅｎｔ  Ｅｎｔｉｔｙ、ＭＭＥと略称する）、サービスゲートウェイ（Ｓｅｒｖｉｎｇ  Ｇｅｔ  Ｗａｙ、ＳＧＷと略称する）を含み、端末とも呼ばれるユーザ装置（Ｕｓｅｒ  Ｅｑｕｉｐｍｅｎｔ、ＵＥと略称する）と基地局（ｅＮｏｄｅＢ、ｅＮＢと略称する）との間にＵＵインタフェース、ｅＮＢとＭＭＥとの間にＳ１−ＭＭＥ（Ｓ１  ｆｏｒ  ｔｈｅ  ｃｏｎｔｒｏｌ  ｐｌａｎｅ）インタフェース、ｅＮＢとＳＧＷとの間にＳ１−Ｕインタフェース、ｅＮＢ同士の間にＸ２−Ｕ（Ｘ２−Ｕｓｅｒ  ｐｌａｎｅ）とＸ２−Ｃ（Ｘ２−Ｃｏｎｔｒｏｌ  ｐｌａｎｅ）インタフェースが使用される。ＬＴＥにおいて、Ｓ１−ＭＭＥインタフェースのプロトコルスタックは下から上へ、Ｌ１プロトコル、Ｌ２プロトコル、インターネットプロトコル（Ｉｎｔｅｒｎｅｔ  Ｐｒｏｔｏｃｏｌ、ＩＰと略称する）、フロー制御伝送プロトコル（Ｓｔｒｅａｍ  Ｃｏｎｔｒｏｌ  Ｔｒａｎｓｍｉｓｓｉｏｎ  Ｐｒｏｔｏｃｏｌ、ＳＣＴＰと略称する）、Ｓ１アプリケーションプロトコル（Ｓ１−Ａｐｐｌｉｃａｔｉｏｎ  Ｐｒｏｔｏｃｏｌ、Ｓ１−ＡＰと略称する）である複数のプロトコル層に分けられる。ＬＴＥにおいて、Ｓ１−Ｕインタフェースのプロトコルスタックは下から上へ、Ｌ１プロトコル、Ｌ２プロトコル、ユーザデータプロトコル／インターネットプロトコル（ＵＤＰ／ＩＰ）、ＧＰＲＳトンネリングプロトコル−ユーザプレーン（ＧＰＲＳ  Ｔｕｎｎｅｌｉｎｇ  Ｐｒｏｔｏｃｏｌ−  Ｕｓｅｒ  ｐｌａｎｅ、ＧＴＰ−Ｕと略称する）である複数のプロトコル層に分けられる。
【０００３】
従来、スペクトルリソースの不足、及び移動ユーザによる大流量サービスの急増が原因で、ユーザスループットを増加して移動特性を向上させるために、高周波数点、例えば３．５ＧＨｚによるホットスポットカバレッジに対するニーズが高まり、ローパワーノードの使用が新しいアプリケーションシーンになる。しかしながら、高周波数点の信号減衰が激しく、新しいセルはカバレッジが小さく、且つ従来のセルと基地局が異なるため、ユーザはこれらの新しいセルの間において移動し、又は新しいセルと従来のセルとの間に移動すると、頻繁な切り替え過程が必要になり、それにより基地局の間にユーザ情報を頻繁に伝達して、コアネットワークに対して大きなシグナリングチャレンジを与え、更に無線側への大量の小セルラー基地局の導入を制限する。図２は小セルラー基地局システムの全体アーキテクチャ模式図であり、図２に示されるように、アーキテクチャでは、ＭＭＥ、ＳＧＷ、ＵＥ及び基地局（ｅＮｏｄｅＢ、ｅＮＢと略称する）が含まれ、ＵＥ及び基地局の間にＵｕインタフェース、ＭｅＮＢとＭＭＥとの間にＳ１−ＭＭＥ（Ｓ１  ｆｏｒ  ｔｈｅ  ｃｏｎｔｒｏｌ  ｐｌａｎｅ）インタフェース、Ｍ−ｅＮＢ、ＳｅＮＢとＳＧＷとの間にＳ１−Ｕインタフェース、ｅＮＢの間にＸｎインタフェースが使用される。ユーザデータをコアネットワークからＭ−ｅＮＢを介してユーザに送信してもよく、コアネットワークからＳ−ｅＮＢを介してユーザに送信してもよい。ユーザはＭ−ｅＮＢでアクセスした後、Ｓ−ｅＮＢを添加、改定、削除することにより二重接続を実現することができる。
【０００４】
また、ユーザによるローカルサービスやＩＮＴＥＲＮＥＴ（インターネット）サービスへのニーズの高まりにつれて、ユーザ端末（ＵＥ）とコアネットワークは、常時オンライン機能をサポートし、即ちデータ接続を確立した後、ＵＥが任意の時点で外部データネットワークにデータを送信することができ、外部データネットワークもＵＥにデータを送信することができる。本願に係る外部データネットワークとは公衆陸上モバイルネットワーク（ＰＬＭＮ）ではないが、ＰＬＭＮに接続されるＩＰネットワーク、例えばホームイントラネット又はＩＮＴＥＲＮＥＴを意味し、ＬＩＰＡ＠ＬＮ（Ｌｏｃａｌ  ＩＰ  Ａｃｃｅｓｓ  ａｔ  Ｌｏｃａｌ  Ｎｅｔｗｏｒｋ、ローカルネットワークローカルＩＰアクセス）又はＳＩＰＴＯ＠ＬＮ（Ｓｅｌｅｃｔｅｄ  ＩＰ  Ｔｒａｆｆｉｃ  Ｏｆｆｌｏａｄ  ａｔ  Ｌｏｃａｌ  Ｎｅｔｗｏｒｋ、ローカルネットワークの選択されたＩＰトラヒックオフロード）機能と呼ばれる。ＬＩＰＡ又はＳＩＰＴＯサービスをサポートするＬ−ＧＷ（ｃｏｌｌｏｃａｔｅｄ−ＧＷ、ローカルゲートウェイ）は基地局（マクロ基地局であってよく、フェムトセルであってもよい）に設置されると、配列Ｌ−ＧＷと呼ばれる。ＳＩＰＴＯ＠ＬＮと配列Ｌ−ＧＷの両方をサポートするシステムのアーキテクチャ図は図３に示される。
【０００５】
従来のＬＴＥシステムにおいて、ＳＩＰＴＯ＠ＬＮ機能を実現するために、配列Ｌ−ＧＷのシーンで、配列Ｌ−ＧＷが所在する基地局（マクロ基地局であってよく、フェムトセルであってもよい）はＳＩＰＴＯ＠ＬＮサービスの移動性をサポートせず、即ちＵＥは他の基地局に移動すると、ＳＩＰＴＯ＠ＬＮ  ＰＤＮ（Ｐｕｂｌｉｃ  Ｄａｔａ  ＮｅｔＷｏｒｋｓ、公衆データ網）接続をリリースする必要がある。関連するリリース方式として、ＵＥの切り替えが成功した後にＳ１又はＸ２インタフェースのＵＥテキストリリースメッセージによりトリガーを行い、ＵＥがＳ１切り替えプロセスを行う場合に、基地局はＳ１インタフェースでＵＥテキストリリースメッセージを受信し、且つ原因値が切り替え成功になり、このように基地局は内部チャンネルを介してＳＩＰＴＯ＠ＬＮ接続をリリースするようにＬ−ＧＷに通知する。ＵＥがＸ２切り替えプロセスを行う場合に、ソース基地局はＸ２インタフェースでＵＥテキストリリースメッセージを受信した後に内部チャンネルを介してＳＩＰＴＯ＠ＬＮ接続をリリースするようにＬ−ＧＷに通知する。上記小型基地局システムにおいて、ＭｅＮＢ（Ｍａｓｔｅｒ  ｅＮＢ、マスターｅＮＢ）とＳｅＮＢ（Ｓｅｃｏｎｄａｒｙ  ｅＮＢ、セカンダリｅＮＢ）の概念を引用するため、関連技術では配列Ｌ−ＧＷの具体的な位置、及びＭｅＮＢ又はＳｅＮＢが変化する場合に如何にＳＩＰＴＯ＠ＬＮ接続のリリースを実現するかの課題を配慮に入れていない。
【発明の概要】
【発明が解決しようとする課題】
【０００６】
本発明が解決しようとする課題はＳＩＰＴＯ接続を処理する方法及び基地局を提供して、ＳＩＰＴＯ接続のリリースを実現することである。
【課題を解決するための手段】
【０００７】
上記課題を解決するために、本発明は選択されたＩＰトラヒックオフロード接続を処理する方法を提供し、
端末は配列ローカルゲートウェイをサポートするソースセカンダリ基地局からターゲットセカンダリ基地局に切り替えると、マスター基地局は前記ターゲットセカンダリ基地局のインターフェースメッセージを受信することと、
前記ターゲットセカンダリ基地局が送信する切り替え成功確認メッセージを受信すると、前記マスター基地局は前記ソースセカンダリ基地局をトリガーして、選択されたＩＰトラヒックオフロード接続をリリースするようにローカルゲートウェイに通知することと、を含む。
【０００８】
好ましくは、上記方法は更に、前記マスター基地局が前記ソースセカンダリ基地局をトリガーして、選択されたＩＰトラヒックオフロード接続をリリースするようにローカルゲートウェイに通知することは、前記マスター基地局が前記ソースセカンダリ基地局に指定インターフェースメッセージを送信するか、又は指定情報要素若しくは追加情報要素を含むインターフェースメッセージを送信することにより実現される、ことを特徴とする。
【０００９】
上記問題を解決するために、本発明は更に基地局を提供し、小型基地局システムでのマスター基地局とし、
端末は配列ローカルゲートウェイをサポートするソースセカンダリ基地局からターゲットセカンダリ基地局に切り替えると、前記ターゲットセカンダリ基地局のインターフェースメッセージを受信するように設定される受信モジュールと、
前記ターゲットセカンダリ基地局が送信する切り替え成功確認メッセージを受信すると、前記ソースセカンダリ基地局をトリガーして、選択されたＩＰトラヒックオフロード接続をリリースするようにローカルゲートウェイに通知するように設定されるトリガーモジュールと、を含む。
【００１０】
好ましくは、上記基地局は更に、
前記トリガーモジュールは、前記ソースセカンダリ基地局に指定インターフェースメッセージを送信するか、又は指定情報要素若しくは追加情報要素を含むインターフェースメッセージを送信するように設定される、ことを特徴とする。
【００１１】
上記問題を解決するために、本発明は更に、選択されたＩＰトラヒックオフロード接続を処理する方法を提供し、
配列ローカルゲートウェイをサポートするセカンダリ基地局がマスター基地局のトリガーメッセージを受信することと、
前記セカンダリ基地局は現在ローカルネットワークにより選択されたＩＰトラヒックオフロード接続が存在することを検出すると、ローカルネットワークにより選択されたＩＰトラヒックオフロード接続をリリースするようにローカルゲートウェイに通知することと、を含む。
【００１２】
好ましくは、上記方法は更に、
前記トリガーメッセージが、
指定インターフェースメッセージ、又は
指定情報要素若しくは追加情報要素を含むインターフェースメッセージを含む、ことを特徴とする。
【００１３】
好ましくは、上記方法は更に、前記セカンダリ基地局がマスター基地局のトリガーメッセージを受信した後、
前記セカンダリ基地局は対応する端末の関連サービスベアラをリリースすることを更に含む、ことを特徴とする。
【００１４】
上記問題を解決するために、本発明は更に基地局を提供し、小型基地局システムで配列ローカルゲートウェイをサポートするセカンダリ基地局とし、
マスター基地局のトリガーメッセージを受信するように設定される受信モジュールと、
現在ローカルネットワークにより選択されたＩＰトラヒックオフロード接続が存在することを検出すると、ローカルネットワークにより選択されたＩＰトラヒックオフロード接続をリリースするようにローカルゲートウェイに通知するように設定される通知モジュールと、を含む。
【００１５】
好ましくは、上記基地局は更に、
前記受信モジュールは、受信したトリガーメッセージが、指定インターフェースメッセージ、又は指定情報要素若しくは追加情報要素を含むインターフェースメッセージを含むように設定される、ことを特徴とする。
【００１６】
好ましくは、上記基地局は更に、
前記受信モジュールがマスター基地局のトリガーメッセージを受信した後、対応する端末の関連サービスベアラをリリースするように設定されるリリースモジュールを更に含む、ことを特徴とする。
【発明の効果】
【００１７】
要するに、本発明の実施例はＳＩＰＴＯ接続を処理する方法及び基地局を提供し、小型基地局環境下での配列Ｌ−ＧＷシーンでＳＩＰＴＯ＠ＬＮ接続のリリースを効果的に実現できる。
【図面の簡単な説明】
【００１８】
【図１】図１は関連技術によるＬＴＥ全体アーキテクチャの模式図である。
【図２】図２は関連技術による小型基地局シーンでの二重接続ユーザプレーン１Ａアーキテクチャの模式図である。
【図３】図３は関連技術におけるＳＩＰＴＯ＠ＬＮと配列Ｌ−ＧＷの両方をサポートするアーキテクチャ模式図である。
【図４】図４は本発明の実施例におけるＭｅＮＢがＳＩＰＴＯ＠ＬＮ接続を処理する方法のフローチャートである。
【図５】図５は本発明の実施例におけるＳｅＮＢがＳＩＰＴＯ＠ＬＮ接続を処理する方法のフローチャートである。
【図６】図６は本発明の実施例１におけるＳＩＰＴＯ＠ＬＮ接続を処理する方法のフローチャートである。
【図７】図７は本発明の実施例２におけるＳＩＰＴＯ＠ＬＮ接続を処理する方法のフローチャートである。
【図８】図８は本発明の実施例３におけるＳＩＰＴＯ＠ＬＮ接続を処理する方法のフローチャートである。
【図９】図９は本発明の実施例の基地局の模式図である。
【図１０】図１０は本発明の他の実施例の基地局の模式図である。
【発明を実施するための形態】
【００１９】
以下、図面を参照しながら本発明の実施例を詳細に説明する。なお、衝突しない限り、本願の実施例及び実施例の特徴を任意に組み合わせることができる。
【００２０】
図４は本発明の実施例におけるＭｅＮＢがＳＩＰＴＯ＠ＬＮ接続を処理する方法のフローチャートであり、図４に示されるように、本実施例の方法は、
端末は配列Ｌ−ＧＷをサポートするソースＳｅＮＢからターゲットＳｅＮＢに切り替えると、ＭｅＮＢが前記ターゲットＳｅＮＢのインターフェースメッセージを受信するステップ１１、
前記ターゲットＳｅＮＢが送信する切り替え成功確認メッセージを受信すると、ＭｅＮＢが前記ソースＳｅＮＢをトリガーして、ＳＩＰＴＯ＠ＬＮ接続をリリースするようにＬ−ＧＷに通知するステップ１２、を含む。
【００２１】
図５は本発明の実施例におけるＳｅＮＢがＳＩＰＴＯ＠ＬＮ接続を処理する方法のフローチャートであり、図５に示されるように、本実施例の方法は、
配列Ｌ−ＧＷをサポートするＳｅＮＢがＭｅＮＢのトリガーメッセージを受信するステップ２１、
前記ＳｅＮＢは現在ＳＩＰＴＯ＠ＬＮ接続が存在することを検出すると、ＳＩＰＴＯ＠ＬＮ接続をリリースするようにＬ−ＧＷに通知するステップ２２、を含む。
【００２２】
ステップ２１におけるトリガーメッセージは、
指定インターフェースメッセージ（例えば、以下の実施例１におけるリリース要求メッセージ、実施例２と実施例３における変更完了メッセージ等）、又は指定情報要素若しくは追加情報要素を含むインターフェースメッセージを含んでよい。
【００２３】
本実施例において、配列Ｌ−ＧＷがＳｅＮＢに位置し且つＳｅＮＢが変更する場合、ＭｅＮＢはＸｎインターフェースメッセージでソースＳｅＮＢをトリガーして、内部チャンネルを介して、ＳＩＰＴＯ＠ＬＮ接続をリリースするようにＬ−ＧＷに通知する。
【００２４】
上記ＸｎインタフェースはＭｅＮＢ／ＳｅＮＢとＳｅＮＢとの間のインタフェースである。ＭｅＮＢ／ＳｅＮＢとＳｅＮＢとの間のインタフェースはＸ２インタフェースであってもよい。
【００２５】
本発明の実施例はＬＴＥシステムに制限されず、３Ｇシステムも適用できる。
【００２６】
本発明の実施例におけるＳＩＰＴＯ＠ＬＮ接続の処理方法は、複雑な小型基地局環境において、二重接続サービス特性に対して、ネットワーク側基地局の間の情報交換によりＳＩＰＴＯ＠ＬＮ接続のリリースを実現し、ＳＩＰＴＯ＠ＬＮ機能の実現を確保し、且つそれによりネットワーク側が二重接続シーンでＳＩＰＴＯ＠ＬＮ接続管理を行うことができ、ネットワーク特性の向上に寄与する。
【００２７】
以下、具体的な実施例を利用して本発明のＳＩＰＴＯ＠ＬＮ接続の処理方法を詳細に説明する。
【００２８】
実施例１  
シーン１：ＭｅＮＢによってトリガーされるＳｅＮＢが変更され、ＭｅＮＢが配列Ｌ−ＧＷをサポートせず、ＳｅＮＢ１が配列Ｌ−ＧＷをサポートし、ＳｅＮＢ２がＬ−ＧＷをサポートし又はサポートせず、基地局の間ではいずれもＸｎインタフェースである。図６に示されるように、
ＵＥは現在二重接続状態にあり、ユーザデータに対してＭｅＮＢとＳｅＮＢ１によりサービスを提供し、ＳｅＮＢ１はＬ−ＧＷをサポートするため、ＳＩＰＴＯ＠ＬＮサービスデータに対してＳｅＮＢ１によりサービスを提供し、ＵＥが報告する測定報告に基づき、ＭｅＮＢはＵＥのためにＳｅＮＢを変更することを決定し、ＳｅＮＢ１を削除し、ＳｅＮＢ２を添加し、ＭｅＮＢはＳｅＮＢ２に添加要求を送信するステップ１０１、
ＳｅＮＢ２によるローカル処理に成功し、ＭｅＮＢに添加確認メッセージを送信するステップ１０２、
ＳｅＮＢ２の添加が成功した後、ＭｅＮＢはＸｎインターフェースメッセージでＳｅＮＢ１の削除作業をトリガーし、ＭｅＮＢはＸｎインタフェースを介してＳｅＮＢ１に削除要求を送信するステップ１０３、
ＳｅＮＢ１はＭｅＮＢリリース要求メッセージを受信した後にローカル処理を行い、該ＵＥの関連サービスベアラをリリースし、現在ＳＩＰＴＯ＠ＬＮ接続が存在する場合、ＳｅＮＢ１は内部チャンネルを介して、ＳＩＰＴＯ＠ＬＮ接続をリリースするようにＬ−ＧＷに通知するステップ１０４、
ＳｅＮＢ１はＭｅＮＢに削除確認メッセージを送信するステップ１０５、
ＵＥはＳｅＮＢ１から切断し、且つ新しいＳｅＮＢ２にアクセスするステップ１０６、を含む。
【００２９】
実施例２  
シーン２：ＭｅＮＢによってトリガーされるＳｅＮＢが変更され、ＭｅＮＢが配列Ｌ−ＧＷをサポートせず、ＳｅＮＢ１が配列Ｌ−ＧＷをサポートし、ＳｅＮＢ２がＬ−ＧＷをサポートし又はサポートせず、基地局の間ではいずれもＸｎインタフェースである。図７に示されるように、
ＵＥは現在二重接続状態にあり、ユーザデータに対してＭｅＮＢとＳｅＮＢ１によりサービスを提供し、ＳｅＮＢ１はＬ−ＧＷをサポートするため、ＳＩＰＴＯ＠ＬＮサービスデータに対してＳｅＮＢ１によりサービスを提供し、ＵＥが報告する測定報告に基づき、ＭｅＮＢはＵＥのためにＳｅＮＢを変更することを決定し、ＳｅＮＢ１を削除し、ＳｅＮＢ２を添加し、ＭｅＮＢはＳｅＮＢ１にＳｅＮＢ変更要求を送信するステップ２０１、
ＳｅＮＢ１はＸｎインタフェースを介してＳｅＮＢ２に変更要求メッセージを送信するステップ２０２、
ＳｅＮＢ２がローカル処理を行い、の添加の成功を認めた後、ＳｅＮＢ２はＸｎインターフェースメッセージでＳｅＮＢ１に変更確認メッセージを送信するステップ２０３、
ＳｅＮＢ１は変更確認メッセージをＭｅＮＢに送信するステップ２０４、
ＵＥはＳｅＮＢ１から切断し、且つ新しいＳｅＮＢ２にアクセスするステップ２０５、
ＵＥが成功にＳｅＮＢ２にアクセスした後、ＳｅＮＢ２はＭｅＮＢに変更完了指示を送信するステップ２０６、
ＭｅＮＢはＳｅＮＢ１に変更完了メッセージを送信するステップ２０７、
ＳｅＮＢ１は変更完了メッセージを受信した後にローカル処理を行い、該ＵＥの関連サービスベアラをリリースし、現在ＳＩＰＴＯ＠ＬＮ接続が存在すると、ＳｅＮＢ１は内部チャンネルを介して、ＳＩＰＴＯ＠ＬＮ接続をリリースするようにＬ−ＧＷに通知するステップ２０８、
ＭｅＮＢはＳｅＮＢ２に変更完了メッセージを送信するステップ２０９、を含む。
【００３０】
実施例３  
シーン３：ＳｅＮＢによってトリガーされるＳｅＮＢが変更され、ＭｅＮＢが配列Ｌ−ＧＷをサポートせず、ＳｅＮＢ１が配列Ｌ−ＧＷをサポートし、ＳｅＮＢ２がＬ−ＧＷをサポートし又はサポートせず、基地局の間ではいずれもＸｎインタフェースである。図８に示されるように、
ＵＥは現在二重接続状態にあり、ユーザデータに対してＭｅＮＢとＳｅＮＢ１によりサービスを提供し、ＳｅＮＢ１はＬ−ＧＷをサポートするため、ＳＩＰＴＯ＠ＬＮサービスデータに対してＳｅＮＢ１によりサービスを提供し、ＳｅＮＢ１はローカルロード及び他のローカルポリシーに基づき、ＵＥにサービスを提供しないことを決定し、ＳｅＮＢ１はＭｅＮＢにＳｅＮＢ変更要求を送信するステップ３０１、
ＭｅＮＢは変更要求を受信した後、取得した相関情報、例えばＵＥの測定報告等に基づき、ＳｅＮＢ変更要求を受け取るかどうか、及びＵＥのために適当なＳｅＮＢ２を選択するかどうかを判断し、受け取ると、ＭｅＮＢはＳｅＮＢ１にＳｅＮＢ変更確認メッセージを送信するステップ３０２、
ＳｅＮＢ１はＳｅＮＢ変更確認メッセージを受信した後、添加要求を送信して、添加準備を完成するようにＳｅＮＢ２に通知するステップ３０３、
ＳｅＮＢ２は添加確認メッセージをＳｅＮＢ１にフィードバックするステップ３０４、
ＳｅＮＢ１はＭｅＮＢに変更完了メッセージを送信するステップ３０５、
ＵＥはＳｅＮＢ１から切断し、且つ新しいＳｅＮＢ２にアクセスするステップ３０６、
ＵＥが成功にＳｅＮＢ２にアクセスした後、ＳｅＮＢ２はＭｅＮＢに変更完了指示を送信するステップ３０７、
ＭｅＮＢはＳｅＮＢ１に変更完了メッセージを送信するステップ３０８、
ＳｅＮＢ１は変更完了メッセージを受信した後にローカル処理を行い、該ＵＥの関連サービスベアラをリリースし、現在ＳＩＰＴＯ＠ＬＮ接続が存在する場合、ＳｅＮＢ１は内部チャンネルを介して、ＳＩＰＴＯ＠ＬＮ接続をリリースするようにＬ−ＧＷに通知するステップ３０９、
ＭｅＮＢはＳｅＮＢ２に変更完了メッセージを送信するステップ３１０、を含む。
【００３１】
前記ステップ３０８において、ＭｅＮＢはＳｅＮＢ１に送信する指定情報要素又は増加情報要素を含むＸｎインターフェースメッセージで、ＳｅＮＢ１をトリガーして、内部チャンネルを介して、ＳＩＰＴＯ＠ＬＮ接続をリリースするようにＬ−ＧＷに通知してもよい。
【００３２】
図９は本発明の実施例の基地局の模式図であり、本実施例の基地局は小型基地局システムでのＭｅＮＢとし、図９に示されるように、本実施例の基地局は、
端末が配列ローカルゲートウェイをサポートするセカンダリ基地局からターゲットセカンダリ基地局に切り替えると、前記ターゲットセカンダリ基地局のＸｎインターフェースメッセージを受信するための受信モジュールと、
前記ターゲットセカンダリ基地局が送信する切り替え成功確認メッセージを受信すると、前記配列ローカルゲートウェイをサポートするセカンダリ基地局をトリガーして、選択されたＩＰトラヒックオフロード接続をリリースするようにローカルゲートウェイに通知するためのトリガーモジュールと、を含む。
【００３３】
前記トリガーモジュールは、具体的に、前記配列ローカルゲートウェイをサポートするセカンダリ基地局に指定Ｘｎインターフェースメッセージを送信するか、又は指定情報要素若しくは追加情報要素を含むＸｎインターフェースメッセージを送信することに用いられる。
【００３４】
図１０は本発明の他の実施例の基地局の模式図であり、本実施例の基地局は小型基地局システムで配列ローカルゲートウェイをサポートするＳｅＮＢとし、図１０に示されるように、本実施例の基地局は、
マスター基地局のトリガーメッセージを受信するための受信モジュールと、
現在ローカルネットワークにより選択されたＩＰトラヒックオフロード接続が存在することを検出すると、ローカルネットワークにより選択されたＩＰトラヒックオフロード接続をリリースするようにローカルゲートウェイに通知するための通知モジュールと、を含む。
【００３５】
前記受信モジュールが受信するトリガーメッセージは、指定Ｘｎインターフェースメッセージ、又は指定情報要素若しくは追加情報要素を含むＸｎインターフェースメッセージを含んでもよい。
【００３６】
好ましい実施例において、前記基地局は、
前記受信モジュールがマスター基地局のトリガーメッセージを受信した後、対応する端末の関連サービスベアラをリリースするためのリリースモジュールを更に含む。
【００３７】
当業者は、上記方法の全部又は一部のステップをプログラムによって関連ハードウェアに命令を出して完成させることができ、前記プログラムはコンピュータ可読記憶媒体、例えば読取り専用メモリ、磁気ディスクや光ディスクなどに記憶できると理解できる。選択的に、上記実施例の全部又は一部のステップを１つ又は複数の集積回路により実現してもよい。それに対して、上記実施例における各モジュール／ユニットはハードウェアの形態で実現されてもよく、ソフトウェア機能モジュールの形態で実現されてもよい。本発明はいずれの特定形態のハードウェアとソフトウェアの組合せにも限らない。
【００３８】
以上は本発明の好適な実施例に過ぎず、勿論、本発明は他の実施例が多数あり、本発明の主旨やその本質を脱逸しない限り、当業者は本発明を基礎に様々な変化や変形をすることができ、これらの変化や変形は全て本発明の添付する請求項の保護範囲に入られる。
【産業上の利用可能性】
【００３９】
本発明の実施例はＳＩＰＴＯ接続を処理する方法及び基地局を提供し、小型基地局の環境での配列Ｌ−ＧＷシーンでＳＩＰＴＯ＠ＬＮ接続を効果的にリリースすることができる。
【図１】
0006345248.tif 000002
【図２】
0006345248.tif 000003
【図３】
0006345248.tif 000004
【図４】
0006345248.tif 000005
【図５】
0006345248.tif 000006
【図６】
0006345248.tif 000007
【図７】
0006345248.tif 000008
【図８】
0006345248.tif 000009
【図９】
0006345248.tif 000010
【図１０】
0006345248.tif 000011